(57)【要約】【課題】  衣服吊下げ収納スペースに多数のハンガーを吊り下げることができるようにするハンガー吊り具であって、比較的奥行きの短い衣服吊下げ収納スペースであってもハンガーに掛けた衣服が壁面に当たることを防止できるハンガー吊り具を提供する。【解決手段】  本発明のハンガー吊り具１は、ハンガー９８を吊り下げる主桿８に掛止可能な少なくとも一対のフック部２Ｌ，２Ｒと、前記一対のフック部２Ｌ，２Ｒの下方部に架け渡され且つハンガー９３を吊り下げ可能な架橋桿３と、を有する。ハンガー吊り具１は、前記フック部２Ｌ，２Ｒを主桿８に掛止した際に前記架橋桿３の軸芯と前記主桿８の軸芯とが略鉛直方向に位置し、且つ、前記主桿８に吊り下げたハンガー９８と前記架橋桿３に吊り下げたハンガー９３とが接触しないように設定されている。【選択図】  図６
2013099450.tif 000002
【特許請求の範囲】
【請求項１】
ハンガーを吊り下げる主桿に掛止可能な少なくとも一対のフック部と、前記一対のフック部の下方部に架け渡され且つハンガーを吊り下げ可能な架橋桿と、を有し、
前記フック部を主桿に掛止した際に前記架橋桿の軸芯と前記主桿の軸芯とが略鉛直方向に位置し、且つ、前記主桿に吊り下げたハンガーと前記架橋桿に吊り下げたハンガーが接触しないように間隔を開けて前記架橋桿がフック部に設けられている、ハンガー吊り具。
【発明の詳細な説明】
【技術分野】
【０００１】
本発明は、衣服を掛けるハンガーを衣服吊下げ収納スペースに多数吊り下げて収納スペースを有効利用できるハンガー吊り具に関する。
【背景技術】
【０００２】
従来、衣服などを吊り下げて収納するための衣服吊下げ収納スペースとして、洋服ダンスやクローゼットなどの収納家具などが用いられている。このような収納家具は、木材で構成された伝統的な家具の他、近年ではパイプ材及びシート等を適宜組み立てた簡易組み立て型の家具まで様々なものが知られている。
このような衣服吊下げ収納スペースには、金属製パイプ材などで形成された主桿が水平方向に架設されている。
主桿にハンガー（衣服が直接掛けられるハンガー）を直接吊り下げると、ハンガーの掛け数が限定される。このため、本件出願人は、特許文献１に記載のハンガー掛止具を提案している。
【０００３】
かかる特許文献１のハンガー掛止具は、主桿に掛止した際に両端側が主桿の下方側に突出するフック部材と、フック部材の一端側に設けられ且つハンガーが掛止される第１ハンガー掛止部材と、フック部材の他端側に設けられ且つハンガーが掛止される第２ハンガー掛止部材と、を有し、第１ハンガー掛止部材が、第２ハンガー掛止部材よりも下方位置に設けられている。
この第１ハンガー掛止部材と第２ハンガー掛止部材に衣服を掛けたハンガーをそれぞれ左右交互に吊り下げていくと、隣合うハンガーが、前後上下に位置ずれした状態となる。よって、隣合うハンガーの厚肉部分が重ならず、隣合うハンガーの間隔を詰めて吊り下げ収納できるという利点がある。
【０００４】
しかしながら、特許文献１のハンガー掛止具は、第１ハンガー掛止部材と第２ハンガー掛止部材にそれぞれ吊り下げたハンガーが前後に位置ずれするので、奥行きが短い衣服吊下げ収納スペース（ハンガーの横幅と略同じ奥行きの衣服吊下げ収納スペース）の主桿に、前記ハンガー掛止具を使用すると、衣服の肩部が収納スペースの壁面に当たり、衣服に皺が生じるなどの問題点がある。
【先行技術文献】
【特許文献】
【０００５】
【特許文献１】特開２００７−２６０３７６号公報
【発明の開示】
【発明が解決しようとする課題】
【０００６】
本発明の課題は、衣服吊下げ収納スペースに多数のハンガーを吊り下げることができるようにするハンガー吊り具であって、比較的奥行きの短い衣服吊下げ収納スペースであってもハンガーに掛けた衣服が壁面に当たることを防止できるハンガー吊り具を提供することを課題とする。
【課題を解決するための手段】
【０００７】
本発明のハンガー吊り具は、ハンガーを吊り下げる主桿に掛止可能な少なくとも一対のフック部と、前記一対のフック部の下方部に架け渡され且つハンガーを吊り下げ可能な架橋桿と、を有し、且つ、前記フック部を主桿に掛止した際に前記架橋桿の軸芯と前記主桿の軸芯とが略鉛直方向に位置し、且つ、前記主桿に吊り下げたハンガーと前記架橋桿に吊り下げたハンガーが接触しないように間隔を開けて前記架橋桿がフック部に設けられている。
【発明の効果】
【０００８】
本発明のハンガー吊り具の使用により、衣服吊下げ収納スペースに多数のハンガーを吊り下げることができるようになる。この衣服吊下げ収納スペースが比較的奥行きの短い衣服吊下げ収納スペースであっても、本発明のハンガー吊り具を使用すれば、衣服が収納スペースの壁面に当たることを防止できる。
【図面の簡単な説明】
【０００９】
【図１】本発明の１つの実施形態に係るハンガー吊り具の斜視図。
【図２】同正面図。
【図３】同右側面図。
【図４】同ハンガー吊り具を主桿に掛けた際の主桿と架橋部の位置関係を示す、一部断面を含む拡大右側面図。
【図５】本発明のハンガー吊り具を衣服吊下げ収納スペースの主桿に取り付け、そのハンガー吊り具の架橋部に複数のハンガーを吊り下げた状態の参考正面図。
【図６】同参考左側面図。
【図７】本発明の他の実施形態に係るハンガー吊り具の斜視図。
【図８】本発明の更なる他の実施形態に係るハンガー吊り具の正面図。
【図９】図８のＩＸ−ＩＸ線で切断した端面の拡大図。
【図１０】同ハンガー吊り具を伸ばした状態を示す正面図。
【図１１】（ａ）は、本発明の更なる他の実施形態に係るハンガー吊り具の正面図、（ｂ）は、同ハンガー吊り具を伸ばした状態を示す正面図。
【発明を実施するための形態】
【００１０】
以下、添付図面を参照しつつ、本発明の１つの実施形態に係るハンガー吊り具について説明する。
図１乃至図３において、ハンガー吊り具１は、衣服吊下げ収納スペースの主桿に掛止可能な少なくとも一対のフック部２Ｌ，２Ｒと、前記一対のフック部２Ｌ，２Ｒの下方部に架け渡された架橋桿３と、を有する。
【００１１】
衣服吊下げ収納スペースは、衣服を掛けたハンガーを収納する空間と、その空間を形成する筺体と、その筺体内の略水平方向（鉛直方向と略直交する方向）に横設され且つ衣服を掛けたハンガーを吊り下げるための主桿と、を有する。
主桿は、所定径（例えば１６ｍｍ〜３２ｍｍ程度）のステンレスのような金属製などのパイプ材などで形成されている。主桿の両端部は、筺体を構成する側壁面、又は、筺体内に立設された支柱のような固定側に取り付けられる。
かかる主桿の軸芯は、筺体内において、略水平方向に延びている。
【００１２】
衣服吊下げ収納スペースとしては、例えば、一般家庭などにある、洋服ダンスやクローゼットなどの収納家具（パイプ材及びシート等を適宜組み立てた簡易組み立て型の家具を含む）、前記主桿が横設された押し入れなどが挙げられる。
【００１３】
ハンガー吊り具１は、左右一対のフック部２Ｌ，２Ｒの下方部の間に、１本の架橋桿３が架け渡されている。以下、一対のフック部２Ｌ，２Ｒを区別する必要がある場合には、その一方を左フック部２Ｌ、他方を右フック部２Ｒという。
具体的には、フック部２Ｌ，２Ｒは、それぞれ、主桿の円弧に適合した弧状部２３と、前記弧状部２３の両端部から下方に延びる第１垂下部２１及び第２垂下部２２と、を有する略逆Ｕ字状の部分からなる。尚、フック部２Ｌ，２Ｒの各弧状部２３は、主桿に適合する円弧状に形成されていることが好ましいが、前記円弧状部２３は、主桿の円弧よりも大きく形成されていてもよい。
【００１４】
前記フック部２Ｌ，２Ｒの各第１垂下部２１は、図３に示すように、第２垂下部２２よりも長く、従って、第１垂下部２１の下縁は第２垂下部２２の下縁よりも下方に突出している。
この第１垂下部２１と第２垂下部２２の前後間隔Ｘは、主桿に容易に掛入脱するため、主桿の直径と略同長又はそれ以上の長さとされている。尚、第１垂下部２１と第２垂下部２２の前後間隔Ｘは、主桿の直径よりも少し短く形成されていてもよい。この場合第２垂下部２２を主桿に当てて押し込むことにより、第１垂下部２１及び第２垂下部２２が弾性変形するので、フック部２Ｌ，２Ｒを主桿に押し入れることができる。
【００１５】
フック部２Ｌ，２Ｒの形成材料は、特に限定されず、例えば、径が３ｍｍ〜７ｍｍ程度の金属製線材、厚み１ｍｍ〜３ｍｍ程度の金属製平板、合成樹脂などが挙げられる。前記金属製線材は、特に限定されず、一般的には、鉄、ステンレス、アルミニウムなどが挙げられ、その断面形状も特に限定されず、中実又は中空の断面円形状、断面矩形状、断面三角形状などが挙げられる。具体的な実施例では、例えば、直径３ｍｍ〜５ｍｍの鉄製の断面円形状の金属製線材が用いられる。
また、一対のフック部２Ｌ，２Ｒの間隔Ｙは、特に限定されず、例えば、１００ｍｍ〜１０００ｍｍ程度であり、好ましくは、２００ｍｍ〜５００ｍｍである。
【００１６】
架橋桿３の左端部は、左フック部２Ｌの第１垂下部２１の下方部に取り付けられ、且つ、架橋桿３の右端部は、右フック部２Ｒの第１垂下部２１の下方部に取り付けられている。架橋桿３は、衣服を掛けたハンガーを吊り下げる部分である。
左フック部２Ｌの第２垂下部２２と右フック部２Ｒの第２垂下部２２の間には、前記のような架橋桿３が架け渡されておらず、前記各第２垂下部２２の下端部は、自由端部とされている。
【００１７】
架橋桿３の形成材料は、特に限定されず、例えば、径が６ｍｍ〜９．５ｍｍ程度の金属製線材、合成樹脂などが挙げられる。金属製線材としては、上記と同様なものが挙げられる。
なお、図示した例では、架橋桿３の左端縁が左フック部２Ｌの第１垂下部２１の下端縁に取り付けられ、且つ、架橋桿３の右端縁が右フック部２Ｒの第１垂下部２１の下端縁に取り付けられているが、これに限られない。つまり、前記左端部、右端部及び下方部は、それぞれ対応する左端縁、右端縁及び下端縁から離れた部分を含む意味である。従って、架橋桿３の左端縁よりも右寄り位置及び第１垂下部２１の下端縁よりも上方位置において、架橋桿３と左フック部２Ｌが取り付けられ、且つ、架橋桿３の右端縁よりも左寄り位置及び第１垂下部２１の下端縁よりも上方位置において、架橋桿３と右フック部２Ｒが取り付けられていてもよい（図示せず）。
【００１８】
フック部２Ｌ，２Ｒと架橋桿３の形成材料が何れも金属である場合には、通常、フック部２Ｌ，２Ｒと架橋桿３を別々に形成し且つ溶接にて両者を固着することにより、ハンガー吊り具１が得られる。フック部２Ｌ，２Ｒと架橋桿３の形成材料が何れも合成樹脂である場合には、両者を一体的に形成してもよいし、或いは、両者を別々に形成し、それを接着剤などで固着してもよい。なお、前記金属製又は合成樹脂製のフック部と架橋桿の固着方法は、ネジ止め、リベット止めなどの締結具を用いて行ってもよい。
強度的に優れていることから、本発明のハンガー吊り具１は、金属製であることが好ましい。
【００１９】
本発明のハンガー吊り具１は、図４に示すように、フック部２Ｌ，２Ｒを主桿８に掛止した際に、架橋桿３の軸芯３ｃと主桿８の軸芯８ｃが略鉛直方向に位置する。なお、前記軸芯３ｃ，８ｃは、架橋桿３及び主桿８の横断面の重心である。
ハンガー吊り具１は、フック部２Ｌ，２Ｒの第１垂下部２１の下端部に架橋桿３が設けられ且つフック部２Ｌ，２Ｒの第２垂下部２２が自由端部とされているので、ハンガー吊り具１の重心は、弧状部２３の中央部（前後方向における中央部）を基準にして、第１垂下部２１側に偏っている。このため、ハンガー吊り具１を、フック部２Ｌ，２Ｒを介して主桿８に掛けると、図４に示すように、それが傾くことによって架橋桿３の軸芯３ｃと主桿８の軸芯８ｃが略鉛直方向に位置するようになる。
【００２０】
さらに、ハンガー吊り具１は、図６に示すように、それを主桿８に掛止した際に、主桿８に吊り下げたハンガー９８と架橋桿３に吊り下げたハンガー９３が上下で接触しないように、架橋桿３が間隔を開けてフック部２Ｌ，２Ｒに設けられている。
具体的な実施例では、ハンガー吊り具１を主桿８に掛止した際に、主桿８の軸芯８ｃと架橋桿３の軸芯３ｃの間隔が、４０ｍｍ以上、好ましくは４２．５ｍｍ以上、より好ましくは４５ｍｍ以上となるように設定される。前記間隔が４０ｍｍ未満では、一般的に広く使用されているハンガーを主桿８及び架橋桿３にそれぞれ吊り下げたときに、それらのハンガーが上下で接触するおそれがある。
なお、前記間隔は長くてもよいが、あまりに長すぎると、架橋桿３に吊り下げたハンガー８３の衣服が衣服吊下げ収納スペースの底壁面に当たるおそれがある。このような点を考慮すると、前記間隔は、２００ｍｍ以下が好ましく、さらに、１５０ｍｍ以下がより好ましく、１２０ｍｍ以下が特に好ましい。
【００２１】
次に、本発明のハンガー吊り具１の使用方法について説明する。
図５及び図６は、衣服吊下げ収納スペース７と、ハンガー吊り具１と、衣服を掛けたハンガー９３，９８と、を有する衣服収納構造を示す。ただし、衣服は図示しない。
衣服吊下げ収納スペース７は、上述のように、衣服を掛けたハンガー９３，９８を収納する空間を有する筺体７１と、その筺体７１内の略水平方向に横設され且つ衣服を掛けたハンガー９３，９８を吊り下げるための主桿８と、を有する。
筺体７１は、天壁面７１ａ、左右の側壁面７１ｂ，７１ｂ、後壁面７１ｃ、前壁面（図示せず）及び底壁面（図示せず）を有し、この各壁面で囲われた内部に空間が形成されている。
【００２２】
この主桿８にフック部２Ｌ，２Ｒを掛止し、主桿８の所望位置にハンガー吊り具１をセットする。必要に応じて、図５に示すように、１本の主桿８に、複数のハンガー吊り具１を直列状に掛止してもよい。
そして、衣服を掛けたハンガー９８を主桿８に吊り下げ、次に、衣服を掛けたハンガー９３を架橋桿３に吊り下げ、複数のハンガー９３，９８を主桿８と架橋桿３に交互に吊り下げていく。
【００２３】
本発明のハンガー吊り具１は、主桿８に吊り下げたハンガー９８と架橋桿３に吊り下げたハンガー９３（厳密には、ハンガー９３の厚肉な肩部や中央厚肉部）が接触しないように架橋桿３が設けられているので、図５に示すように、衣服吊下げ収納スペース７の幅方向において隣合うハンガー９３，９８の間隔を短くでき、より多くのハンガー９３，９８を衣服吊下げ収納スペース７内に吊り下げ収納できる。
例えば、厚肉な肩部や中央厚肉部（フックが取り付けられている部分）を有するハンガー９３，９８であっても、主桿８に吊り下げたハンガー９８の下方側に架橋桿３に吊り下げたハンガー９３が入り込むので、より多くのハンガー９３，９８を吊り下げ収納できる。
【００２４】
さらに、本発明のハンガー吊り具１は、使用時に、図４に示すように、架橋桿３の軸芯３ｃと主桿８の軸芯８ｃが略鉛直方向に並ぶので、図６に示すように、主桿８及び架橋桿３に吊り下げた各ハンガー９３，９８のフックが略上下方向に重なり、これらの各ハンガー９３，９８が衣服吊下げ収納スペース７の奥行き方向Ｚにおいて位置ずれしない。
従って、主桿８及び架橋桿３に吊り下げた各ハンガー９３，９８の衣服が、衣服吊下げ収納スペース７の後壁面７１ｃに当たることを防止できる。
特に、本発明のハンガー吊り具１は、ハンガーの横幅と略同じ奥行きを有するような、比較的奥行きが短い衣服吊下げ収納スペース７に使用する場合に好適である。
【００２５】
なお、上記実施形態においては、１本の架橋桿３に対してフック部２Ｌ，２Ｒが２箇所設けられたハンガー吊り具１を例示しているが、例えば、図７に示すように、フック部２Ｌ，２Ｒ，２Ｃは３箇所設けられていてもよく、また、特に図示しないが、４箇所以上の複数箇所にフック部が設けられていてもよい。架橋桿を比較的長く形成したい場合には、ハンガーを吊り下げたときの湾曲を防止するため、３箇所以上にフック部を設けることが好ましい。
【００２６】
さらに、上記ハンガー吊り具１の架橋桿３がその軸芯方向に伸縮するように構成することもできる。
例えば、伸縮可能な架橋桿３を有するハンガー吊り具１は、図８及び図９に示すように、複数のフック部２Ｌ，２Ｒ，２Ｃ，２Ｄと、順に並んだフック部２Ｌ，２Ｒ，２Ｃ，２Ｄに架け渡された架橋桿３と、を有する。
架橋桿３は、第１棒材３１と第２棒材３２とから構成され、第１棒材３１は、第２棒材３２に対して出退可能とされている。例えば、第２棒材３２は、パイプから構成され、第１棒材３１は、第２棒材３２の内側の空間に挿入脱可能な径の細長部材で構成されている。
第１棒材３１には２つのフック部２Ｌ，２Ｃが固着され、且つ第２棒材３２には２つのフック部２Ｒ，２Ｄが固着されている。
この他の実施形態に係るハンガー吊り具１は、図１０に示すように、架橋桿３の軸芯方向に伸ばすことができ、（図示しないが）逆に縮めることもできる。
【００２７】
上記ハンガー吊り具１は、架橋桿３を伸縮できるので、衣服吊下げ収納スペースの幅に応じて伸ばしたり或いは縮めたりして使用できる。
さらに、ハンガー吊り具１を使用しないときには、それを縮めてコンパクトにして保管しておくこともできる。
【００２８】
また、伸縮可能なハンガー吊り具１としては、例えば、図１１（ａ）に示すようなものでもよい。
このハンガー吊り具１も、伸縮可能な架橋桿３を有する。具体的には、図１１（ａ）に示すように、複数のフック部２Ｌ，２Ｒ，２Ｃ，２Ｄと、順に並んだフック部２Ｌ，２Ｒ，２Ｃ，２Ｄに架け渡された架橋桿３と、を有する。
架橋桿３は、第１棒材３１と第２棒材３２と第３棒材３３から構成され、第１棒材３１は、第２棒材３２及び第３棒材３３のそれぞれに対して出退可能とされている。例えば、第２棒材３２及び第３棒材３３は、パイプから構成され、第１棒材３１は、第２棒材３２及び第３棒材３３の内側の各空間に挿入脱可能な径の細長部材で構成されている。
第２棒材３３には２つのフック部２Ｌ，２Ｃが固着され、且つ第３棒材３３には２つのフック部２Ｒ，２Ｄが固着されている。
この他の実施形態に係るハンガー吊り具１も、図１１（ｂ）に示すように、架橋桿３の軸芯方向に伸ばすことができ、（図示しないが）逆に縮めることもできる。
なお、特に図示しないが、上記図１１（ａ）に示す第１部材３１と第３棒材３３を１つユニットとして、このユニットの第１部材を図１１（ａ）のハンガー吊り具１の第３部材３３に順次組み合わしていくことにより、図１１よりも幅広で且つ伸縮可能なハンガー吊り具を構成することもできる。
【符号の説明】
【００２９】
１…ハンガー吊り具、２Ｌ，２Ｒ…フック部、３…架橋桿、３ｃ…架橋桿の軸芯、７…衣服吊下げ収納スペース、８…主桿、８ｃ…主桿の軸芯、９３，９８…ハンガー
【図１】
2013099450.tif 000003
【図２】
2013099450.tif 000004
【図３】
2013099450.tif 000005
【図４】
2013099450.tif 000006
【図５】
2013099450.tif 000007
【図６】
2013099450.tif 000008
【図７】
2013099450.tif 000009
【図８】
2013099450.tif 000010
【図９】
2013099450.tif 000011
【図１０】
2013099450.tif 000012
【図１１】
2013099450.tif 000013